(57)【要約】      （修正有）【課題】脊椎の牽引効果がより高く、子供から高齢者まで安全かつ安心して利用でき、操作もシンプルで、より使用しやすい脊椎矯正椅子を提供する。【解決手段】脊椎矯正椅子は、背板３・座板２・脚１で構成される椅子において、背板が接合部分４を中心として背面方向に倒れる構造を持つことを特徴とする。また、前記の背板が駆動手段８を用いて背面方向に水平よりも下方に倒れる構造を有し、体を背板に固定する手段が設けられている。【選択図】図１
2010017505.tif 000002
【特許請求の範囲】
【請求項１】
背板・座板・脚で構成される椅子において、背板が接合部分を中心として背面方向に倒れる構造を持つことを特徴とする脊椎矯正椅子。
【請求項２】
背板が背面方向に水平よりも下方に倒れることを特徴とする請求項１に記載の脊椎矯正椅子。
【請求項３】
背板の駆動手段が設けられていることを特徴とする請求項１又は２に記載の脊椎矯正椅子。
【請求項４】
体を背板に固定する手段が設けられていることを特徴とする請求項３に記載の脊椎矯正椅子。
【発明の詳細な説明】
【技術分野】
【０００１】  本発明は、自分の体重を利用して脊椎を牽引することで、無理なく脊椎の歪みを矯正する、脊椎矯正椅子に関するものである。
【背景技術】
【０００２】  引力の作用により、脊椎の歪みを矯正し、健康増進を図る装置としては、特開平１１−９６３０号の「血流促進逆吊装置」がある。
この装置は、身体支持ベッドにあおむけになって足首を固定し、コンピュータ制御等によりベッドを縦方向に回転させるものである。
【発明の開示】
【発明が解決しようとする課題】
【０００３】  前述の「血流促進逆吊装置」は、仰臥位のまま身体支持ベッドが水平軸に対して−６０°まで回転し、逆立ちに近い体勢になる。足が地に付いていない状態で頭を下にするのであるから、緊張してどうしても体に力が入り、脊椎の牽引効果が弱まる可能性が考えられる。【０００４】  また、同装置は、逆立ちに近い体勢になるにもかかわらず、体を固定するものは足首固定パッドのみであり、安全性に不安がある。使用者の中には、逆立ちに近い体勢になることに恐怖心を感じる人もいるのではないか。【０００５】  そこで本発明は、脊椎の牽引効果がより高く、子供から高齢者まで安全かつ安心して利用でき、操作もシンプルで、より使用しやすい脊椎矯正椅子を提供することを目的とする。
【課題を解決するための手段】
【０００６】  本発明は、上記課題を解決するために次のような構成をとる。
▲１▼背板・座板・脚で構成される椅子において、背板が接合部分を中心として背面方向に倒れる構造を持つことを特徴とする脊椎矯正椅子。
▲２▼背板が背面方向に水平よりも下方に倒れることを特徴とする上記▲１▼に記載の脊椎矯正椅子。
▲３▼背板の駆動手段が設けられていることを特徴とする上記▲１▼又は▲２▼に記載の脊椎矯正椅子。
▲４▼体を背板に固定する手段が設けられていることを特徴とする上記▲３▼に記載の脊椎矯正椅子。
なお、駆動手段には電力、空気圧、ギア、バネ等を用いてもよい。
【発明の効果】
【０００７】  ぎっくり腰や五十肩などの病気は脊椎の歪みから生じていると考えられる。脊椎の歪みは、体の中で最も重い頭を細い首で支えるという、人間の骨格の構造上のバランスの悪さが原因であると考えることができる。【０００８】  そこで本発明では、この頭の重さを逆に利用して脊椎を牽引することにより、無理なく脊椎の歪みを矯正することを試み、以下のような顕著な効果を得た。【０００９】  ▲１▼肩の歪みを矯正する効果が得られ、五十肩や猫背が大幅に改善される。【００１０】  ▲２▼腰の歪みを矯正する効果が得られ、ヘルニアやぎっくり腰がすみやかに改善される。【００１１】  ▲３▼背骨のずれを矯正する効果があり、むちうち症が大幅に改善される。【００１２】  ▲４▼首の歪みを矯正する効果があり、寝違えが改善される。【００１３】  ▲５▼血中の血液の循環が促進されるため、肩こりが改善され、脳内に酸素が供給されることにより、頭がすっきりとする。
【発明を実施するための最良の形態】
【００１４】  本発明の実施の形態の一例を別紙図面より説明する。
本発明の脊椎矯正椅子は、主として脚部１、座板２、背板３、接合部４、フットレスト５、操作ボタン６、シートベルト７、駆動装置８、ディスプレイ９とから構成されている（［図１］、［図３］参照）。【００１５】  座板の下部に駆動装置８を設け、背板３の駆動手段とする。ここでは動力源として電力を用いたが、空気圧、ギア、バネ等を用いてもよい（［図１］参照）。【００１６】  背板３は駆動手段を介して背面方向にゆっくりと倒れ、最大で水平軸に対し−６０°まで倒れる（［図１］、［図５］参照）。【００１７】  操作は操作ボタン６により行い、接合部付近からコードにより繋がっている（［図３］参照）。操作ボタン６には、「前」「後」の２つのボタンがあり、それぞれ「前面に倒れる」「背面に倒れる」操作を行う。なお、各ボタンを押し続けることによって作動し、手を離すと停止する仕組みになっている。操作ボタン６にはディスプレイ９が装備されており、現在の角度を＋９０°から−６０°の範囲で表示する。またディスプレイ９には背板３を倒した後の静止時間も表示される（［図２］参照）。【００１８】  また、安全装置としてシートベルト７を装備し、椅子からの落下を防止する（［図３］参照）。【００１９】  さらに、背板３には合成皮革などの摩擦の少ない素材を用い、背板３を背面に倒した際に摩擦による抵抗を少なくして、脊椎の牽引効果がより多く得られるよう工夫した。
また、より使用感を良くするため、座板２及び背板３にクッション性のある素材を用いるとなお良い。
【使用例】
【００２０】▲１▼座板２に深く腰掛け、背板３にしっかりともたれる。フットレスト５に足を載せ、シートベルト７を締める（［図４］参照）。
▲２▼操作ボタン６の「後」ボタンを押し続け、好みの角度まで倒れたら手を離し、停止させる。両手を万歳のかたちにして背板３に沿わせるようにする（［図５］参照）。
この体勢を２〜５分間保持する（頭に血流が集まるので、気分が悪くなった場合は中止する）。この時、首を左右にゆっくりと振るとより効果的である。
この間に、骨盤から頭、肩、腰などの各部が頭の重力によって牽引され、日常の体の歪みが徐々に矯正される。
▲３▼操作ボタン６の「前」ボタンを押し続け、もとの位置（水平軸に対して＋９０°）に戻す。
【００２１】  次に、実際に脊椎矯正椅子を使用した例を幾つか挙げる。
例▲１▼四十肩で通院中の４３才の女性に本発明の脊椎矯正椅子を使用し、背板を−６０°まで倒して３分間静止する操作を１日１回、３日間繰り返した。その結果、四十肩の症状はほぼ快癒し、腕を上げることができるようになった。
【００２２】例▲２▼仕事でパソコンを長時間使用したために、首が回らなくなった２６才の男性に本発明の脊椎矯正椅子を使用し、背板を−４５°まで倒して２分間静止する操作を１回行ったところ、首が回るようになった。
【００２３】例▲３▼ぎっくり腰を患い、歩行にも支障をきたした５６才の男性に本発明の脊椎矯正椅子を使用し、背板を−６０°まで倒して５分間静止する操作を、２分間の休憩をはさんで２回行った。その結果、ぎっくり腰の症状が大幅に改善され、歩くことができるようになった。
【図面の簡単な説明】
【図１】本発明の脊椎矯正椅子の実施例を示す側面図である。
【図２】本発明の脊椎矯正椅子の操作ボタンの実施例を示す図である。
【図３】本発明の脊椎矯正椅子の実施例を示す斜視図である。
【図４】本発明の脊椎矯正椅子の使用例を示す側面図である。
【図５】本発明の脊椎矯正椅子の背板を倒した状態の使用例を示す側面図である。
【符号の説明】
１  脚部
２  座板
３  背板
４  接合部
５  フットレスト
６  操作ボタン
７  シートベルト
８  駆動装置
９  ディスプレイ
【図１】
2010017505.tif 000003
【図２】
2010017505.tif 000004
【図３】
2010017505.tif 000005
【図４】
2010017505.tif 000006
【図５】
2010017505.tif 000007